(57)【要約】  送信対象の入力信号のバーストによる送信増幅器のバースト歪を補償する歪補正制御装置であって；前記バースト歪の逆特性を有する歪補正係数を生成する生成手段と；前記入力信号有無の切り替わりを知らせるバースト情報の受信を契機に、前記生成手段から出力された前記歪補正係数を前記入力信号に乗算または加算する手段と；前記入力信号と、前記送信増幅器の出力信号としてフィードバックされる分岐信号とに基づいて、前記歪補正係数を適応的に生成するための関数のパラメータを更新し、更新した前記パラメータを前記生成手段に入力する更新手段とを備える。
2008120318.tif 000002
【特許請求の範囲】
【請求項１】
送信対象の入力信号のバーストによる送信増幅器のバースト歪を補償する歪補正制御装置であって；
前記バースト歪の逆特性を有する歪補正係数を生成する生成手段と；
前記入力信号有無の切り替わりを知らせるバースト情報の受信を契機に、前記生成手段から出力された前記歪補正係数を前記入力信号に乗算または加算する手段と；
前記入力信号と、前記送信増幅器の出力信号としてフィードバックされる分岐信号とに基づいて、前記歪補正係数を適応的に生成するための関数のパラメータを更新し、更新した前記パラメータを前記生成手段に入力する更新手段と；
を備える歪補正制御装置。
【請求項２】
前記歪補正係数を適応的に生成するための関数は、サイン関数及び指数関数である
請求項１記載の歪補正制御装置。
【請求項３】
前記サイン関数のパラメータは振幅、周期、及び初期位相であり、前記指数関数のパラメータは、減衰量である
請求項２記載の歪補正制御装置。
【請求項４】
前記更新手段は、バースト継続区間における前記バースト歪がゼロとなる時間及び間隔から前記サイン関数のパラメータの周期を決定する
請求項３記載の歪補正制御装置。
【請求項５】
前記更新手段は、バースト継続区間における前記バースト歪がゼロとなる時間及び間隔から前記サイン関数のパラメータの初期位相を決定する
請求項３記載の歪補正制御装置。
【請求項６】
前記パラメータを参照信号としての前記入力信号と前記分岐信号との誤差に基づいて調整する手段を更に備える
請求項１記載の歪補正制御装置。
【請求項７】
前記送信対象の入力信号に乗算または加算される前記歪補正係数は、前記入力信号有無の切り替わりからの経過時間に応じた補正係数である
請求項１記載の歪補正制御装置。
【請求項８】
前記歪の補正は、前記入力信号に対して振幅及び位相の両方で行われる
請求項１記載の歪補正制御装置。
【請求項９】
前記入力信号の振幅に応じて前記歪補正係数の大きさを調整する手段を更に備える
請求項１記載の歪補正制御装置。
【請求項１０】
前記歪補正係数を前記入力信号の平均的な大きさに応じて調整するために、前記入力信号の平均電力を求める手段を更に備える
請求項１記載のバースト歪補正制御装置。
【請求項１１】
送信対象の入力信号のバーストによる送信増幅器のバースト歪を補償する歪補正制御方法であって；
前記バースト歪の逆特性を有する歪補正係数を生成するステップと；
前記入力信号有無の切り替わりを知らせるバースト情報の受信を契機に、生成された前記歪補正係数を前記入力信号に乗算または加算するステップと；
前記入力信号と、前記送信増幅器の出力信号としてフィードバックされる分岐信号とに基づいて、前記歪補正係数を適応的に生成するための関数のパラメータを更新し、更新した前記パラメータを前記歪補正係数の生成ために入力するステップと；
を備える歪補正制御方法。
【発明の詳細な説明】
【技術分野】
【０００１】
本発明は、無線通信システムに適用される歪補正制御装置及び歪補正制御方法に関する。
【背景技術】
【０００２】
直交周波数分割多重（ＯＦＤＭ：Orthogonal Frequency Division Multiplexing）などの無線伝送方式が採用される無線通信システムでは、バースト性の信号が扱われることが多い。【０００３】
通常、増幅器（アンプ）は電力効率改善のためにアンプ動作点をＡＢ〜Ｂ級としている。このため、無信号時（バーストＯＦＦ時）にアンプへ流れる電流が少なくなっている。バーストＯＦＦ期間から急激に信号が入力（バーストＯＮ）されると、アンプ電源系に急速に電流が流れることになる。この急速な電流値の変化に電源系が追従できずに、電流及び電圧波形が過渡応答を示し（図１参照）、アンプ特性が変わってしまう。【０００４】
本発明の関連技術として、次の２点が挙げられる。第１は、バースト送信によるアンプ歪の補正のために、アンプ入力信号を調整する技術を開示する特開２００４−１１２２５２号公報（特許文献１）である。この技術では、バースト信号の送信時の立ち上がり／立ち下りレベルを測定し、それに応じたバースト補正動作を行うことに特徴がある。【０００５】
第２は、バースト歪を抑えるために、急激な立ち上がりを抑える技術を開示する特開平４−３０１９５０号公報（特許文献２）である。この技術では、徐々に送信出力を上げるランプ処理により、バースト歪の発生そのものを抑えることに特徴がある。【０００６】
特許文献１記載の技術では、作り込みの補正係数を用いるので、アンプの特性変化に追従しない。アンプは温度や経時・経年変化によりその特性が変わるので、適応的に補正係数を更新することにより、バースト歪の補正精度を維持することが求められる。【０００７】
特許文献２記載の技術では、急激な送信信号の立ち上がりを抑え、徐々に出力を上げていくランプ動作を行っている。この技術では、バーストＯＮの前に信号立ち上がり期間を用意するか、バーストＯＮ後の信号を徐々に立ち上げる必要があり、アンプ出力信号の波形が変形してしまう。
特許文献１：特開２００４−１１２２５２号公報
特許文献２：特開平４−３０１９５０号公報
特許文献３：特開平９−１５３８４９号公報
特許文献４：特許３５６０３９８号公報
【発明の開示】
【発明が解決しようとする課題】
【０００８】
本発明の課題は、バースト送信により生じる歪（バースト歪）を適応的に補正して、送信増幅器の耐環境性の向上を可能にする技術を提供することにある。【０００９】
本発明の他の課題は、非線形歪が生じる送信増幅器において、バースト送信された場合にも、非線形歪補償を良好に行うことを可能にする技術を提供することにある。【００１０】
本発明の別の課題は、サイン関数及び指数関数などの規定の関数を歪補正に使うことにより、小さい回路規模で構成することを可能にする技術を提供することにある。
【課題を解決するための手段】
【００１１】
上記課題を解決するために、本発明の歪補正制御装置は、送信対象の入力信号のバーストによる送信増幅器のバースト歪を補償する歪補正制御装置であって；
前記バースト歪の逆特性を有する歪補正係数を生成する生成手段と；
前記入力信号有無の切り替わりを知らせるバースト情報の受信を契機に、前記生成手段から出力された前記歪補正係数を前記入力信号に乗算または加算する手段と；
前記入力信号と、前記送信増幅器の出力信号としてフィードバックされる分岐信号とに基づいて、前記歪補正係数を適応的に生成するための関数のパラメータを更新し、更新した前記パラメータを前記生成手段に入力する更新手段とを備える。【００１２】
この歪補正制御装置において、前記歪補正係数を適応的に生成するための関数は、サイン関数及び指数関数である。前記サイン関数のパラメータは振幅、周期、及び初期位相であり、前記指数関数のパラメータは、減衰量である。
【発明の効果】
【００１３】
本発明によれば、バースト送信によるアンプ歪（バースト歪）を補正するために、入力信号に逆特性を与えて補正し、補正係数は関数により生成し、パラメータを適応的に更新するので、増幅器特性が温度や経時・経年により変化しても最適な補正係数を保つことができる。【００１４】
また、本発明によれば、ランプ処理などにより増幅器出力信号の波形を変形することなく、バースト歪を補正することができる。【００１５】
本発明の他の課題、特徴及び利点は、図面及び併記の請求の範囲とともに取り上げられる際に、以下に記載される明細書を読むことにより明らかになるであろう。
【図面の簡単な説明】
【００１６】
【図１】図１はバースト送信時の送信増幅器における入力信号及び出力信号を説明するための図。
【図２】図２は本発明の第１の実施の形態のバースト歪補正制御装置を示すブロック図。
【図３】図３は図２におけるバースト補正係数生成部の構成例を示すブロック図。
【図４Ａ】図４Ａはバースト情報の第１の取得法を説明するための図。
【図４Ｂ】図４Ｂはバースト情報の第２の取得法を説明するための図。
【図５】図５は送信増幅器のバースト歪とバースト歪補正係数との関係を説明するための図。
【図６】図６はサイン関数の周期及び初期位相の推定を説明するための図。
【図７】図７は本発明の第２の実施の形態のバースト歪補正制御装置を示すブロック図。
【図８】図８はＡＣＬＲによるパラメータ決定手順を説明するための図。
【図９】図９は組み合わせによるパラメータ決定手順を説明するための図。
【図１０】図１０は本発明の第３の実施の形態のバースト歪補正制御装置を示すブロック図。
【図１１】図１１は誤差によるパラメータ決定手順を説明するための図。
【図１２】図１２は誤差によるパラメータ決定手順を説明するための図。
【図１３】図１３は誤差によるパラメータ決定手順を説明するための図。
【図１４】図１４は誤差によるパラメータ決定手順を説明するための図。
【図１５】図１５は本発明の第４の実施の形態のバースト歪補正制御装置を示すブロック図。
【図１６】図１６は入力信号の大きさにより変わるバースト歪を説明するための図。
【図１７】図１７は本発明の第５の実施の形態のバースト歪補正制御装置を示すブロック図。
【図１８】図１８は本発明の第５の実施の形態のバースト歪補正制御装置を示すブロック図。
【図１９】図１９はＬＰＦを用いたバースト歪補正係数の生成手順を説明するための図。
【符号の説明】
【００１７】
１  送信増幅器
２  バースト補正係数生成部
３  乗算器
４  パラメータ更新部
【発明を実施するための最良の形態】
【００１８】
以下、添付図面を参照して、本発明について更に詳細に説明する。図面には本発明の好ましい実施形態が示されている。しかし、本発明は、多くの異なる形態で実施されることが可能であり、本明細書に記載される実施形態に限定されると解釈されてはならない。むしろ、これらの実施形態は、本明細書の開示が徹底的かつ完全となり、当業者に本発明の範囲を十分に伝えるように提供される。【００１９】
［第１の実施の形態］
本発明の第１の実施の形態における構成（基本構成）を示す図２を参照すると、バースト歪補正制御装置は、送信対象の入力信号（ベースバンド信号）ｘ（ｔ）のバースト性によるアンプ歪（バースト歪）を補正するために、送信増幅器（ＲＦアンプ）１への入力信号ｘ（ｔ）に補正係数を乗算する（加算してもよい）構成を採っている。【００２０】
この補正係数（バースト歪補正係数）は、入力信号有無の切り替わりを知らせる信号（ここでは、バースト（開始）ＯＮのタイミングを知らせる信号）であるバースト情報を基準に（契機に）、バースト補正係数生成部２により生成されて出力され、バースト歪の逆特性として、入力信号ｘ（ｔ）に乗算器３により乗算される。バースト歪補正係数は、バースト補正係数生成部２において、関数を用いて生成される。【００２１】
パラメータ更新部４は、参照信号としての入力信号ｘ（ｔ）と、分岐信号ｙ（ｔ）とに基づいて、適応的にバースト歪補正係数を生成するための関数のパラメータを更新する。分岐信号（ＦＢ信号）ｙ（ｔ）は、送信増幅器１からの出力信号ｙ（ｔ）の一部がフィードバックされた信号であり、出力信号ｙ（ｔ）に等しい。【００２２】
一層詳述すると、バースト歪補正係数は、バースト補正係数生成部２において、振動及び減衰の二つの成分により生成される。例えば、振動関数をサイン関数で代用し、減衰関数をｅｘｐ関数（指数関数）で代用した場合、数１における式でバースト歪補正係数は表現できる。【００２３】
【数１】
2008120318.tif 000003
【００２４】
ここで、Ａ、Ｔ、θ、ρが適応的にバースト歪補正係数を生成するためのサイン関数及び指数関数のパラメータである。Ａ、Ｔ、θはそれぞれサイン関数の振幅、周期、初期位相を示している。ρは指数関数（ｅ）の減衰量を制御する。バースト補正係数生成部２から出力されて送信対象の入力信号ｘ（ｔ）に乗算または加算されるバースト歪補正係数は、入力信号有無の切り替わりからの経過時間に応じた補正係数である。【００２５】
これらのパラメータをバースト歪補正に用いる場合、バースト補正係数生成部２は、図３に示す構成を採ることができる。図３に示すように、バースト補正係数生成部２は、振幅歪補正信号生成部２Ａ及び位相歪補正信号生成部２Ｂから構成され、パラメータ更新部４から更新された各パラメータＡ，Ｔ，θ，ρが入力される。【００２６】
振幅歪補正信号生成部２Ａ及び位相歪補正信号生成部２Ｂは、サイン関数生成部２Ａ１、指数関数生成部２Ａ２及び乗算器２Ａ３をそれぞれ有する。振幅歪補正信号生成部２Ａにおいて乗算器２Ａ３により乗算されたサイン関数及び指数関数は、バースト歪の振幅歪補正信号ａ（ｔ）として乗算器２Ｃに出力される。また、位相歪補正信号生成部２Ｂにおいて乗算器２Ａ３により乗算されたサイン関数及び指数関数は、バースト歪の位相歪補正信号ｅｊφ（ｔ）として乗算器２Ｃに出力される。バースト歪の振幅歪補正信号ａ（ｔ）及びバースト歪の位相歪補正信号ｅｊφ（ｔ）は、バースト歪補正係数として乗算器３に入力される。【００２７】
なお、図２に示すこのバースト歪補正制御装置においては、ディジタル信号処理を行っているため、送信増幅器１への入力側（前段）には、ディジタル／アナログ（Ｄ／Ａ）変換器が設けられ、送信増幅器１の出力側の分岐信号ｙ（ｔ）の受信線上（後段）には、アナログ／ディジタル（Ａ／Ｄ）変換器が設けられるが、ここでは図示を省略している。特に、限定を要しない場合、他の実施の形態においても同様である。【００２８】
また、送信増幅器１の前段及び後段には、直交変調器、直交復調器、及びローカル発振器が設けられるが、説明を簡単にするために、図示を省略する。【００２９】
次に、バースト補正係数生成部２が、バーストＯＮのタイミングを知らせる信号であるバースト情報を取得するための２種類の方法について説明する。【００３０】
第１は、図４Ａに示すＯＦＤＭ信号生成部５からバースト情報をスヌーピングする方法である。ＯＦＤＭ信号は、高速フーリエ逆変換（ＩＦＦＴ：Inverse Fast Fourier Transform）を使ってブロック単位で信号生成される。バーストはこのＩＦＦＴの処理単位で起こる。ＩＦＦＴ処理部５１への入力信号がａｌｌ「０」からバーストＯＮに切り替わったか、ＩＦＦＴ処理後の信号がａｌｌ「０」からバーストＯＮに切り替わったかを確認することでバースト情報を得る。【００３１】
ここでは、ＩＦＦＴ処理部５１への入力信号がａｌｌ「０」からバーストＯＮに切り替わったかをシリアル／パラレル（Ｓ／Ｐ）変換部５２で判定し、バースト情報を入手する。なお、本判定はＩＦＦＴ処理部５１からの出力信号で行い、バースト情報を入手してもよい。【００３２】
第２は、送信対象の入力信号ｘ（ｔ）が所定の時間ゼロであるかを自動判定し、バースト情報として使う方法である。図４Ｂはバースト情報を自主生成する具体例を示す。【００３３】
バースト情報生成部６においては、入力信号ｘ（ｔ）がゼロ（０）信号であるかを信号ゼロ判定部６１により判定する。ゼロ信号であれば、後段のカウンタ６２がリセットされるが、ゼロ信号でなければ、カウンタ６２がカウントアップされる。【００３４】
カウンタ値判定部６３では、カウンタ値が所定値に達していれば、バーストＯＮ期間に入ったものと判定し、バースト情報のパルスを発生する。ここでは、遅延回路（Ｄｅｌａｙ）があるが、これはバースト情報生成部６における処理時間だけ入力信号ｘ（ｔ）を遅らせるためである。【００３５】
図５は、送信増幅器１のバースト信号によるバースト歪の様子と、バースト歪補正係数（補正信号）との関係を示している。バースト歪は、振幅歪及び位相歪としてバーストＯＮからの経過時間により変化し、時間とともに徐々に収束していく歪である。逆特性となるバースト歪補正係数は関数近似により求める。ここでは、一手法として、サイン関数と減衰関数（指数関数）を用いて、バースト歪補正係数を生成している。サイン関数はバーストＯＮからの時間経過とともに周期を徐々に短くすると、より正確な近似が可能となる。【００３６】
図６は、サイン関数の周期Ｔ及び初期位相θを決定する例を示す。パラメータ更新部４は、バーストＯＮ区間にてバースト歪がゼロになるタイミング（時間・間隔）を捕らえて、周期Ｔ及び初期位相θを決定（推定）する。【００３７】
［第２の実施の形態］
図７は本発明の第２の実施の形態におけるバースト歪補正制御装置の構成を示す。この第２の実施の形態は図２に示す第１の実施の形態における基本構成の変形例として示している。【００３８】
図７を参照すると、このバースト歪補正制御装置は、バースト補正係数生成部２、乗算器３、パラメータ更新部４、及びＡＣＬＲ（Adjacent Channel Leakage Power Ratio）測定部７を備えている。【００３９】
このバースト歪補正制御装置においては、ＡＣＬＲ測定によりパラメータを決定する。そのために、送信増幅器１からの出力信号ｙ（ｔ）の一部がフィードバックされた分岐信号（ＦＢ信号）ｙ（ｔ）のＡＣＬＲを求め、関数近似のためのパラメータを決める。【００４０】
ＡＣＬＲ測定部７は、分岐信号ｙ（ｔ）の周波数解析を行って、入力信号ｘ（ｔ）に隣接する周波数の漏洩電力を測定する。この周波数解析には、ディジタル信号処理である高速フーリエ変換（ＦＦＴ：Fast Fourier Transform）による解析を利用するのが便利である。【００４１】
ＡＣＬＲ測定部７は、パラメータ更新部４からのＡＣＬＲ測定要求に応じて、ＦＦＴ解析に必要な入力データとして分岐信号ｙ（ｔ）を取り込む。そして、取り込んだ分岐信号ｙ（ｔ）をＦＦＴ処理して周波数データとし、ＡＣＬＲを測定する。求めたＡＣＬＲはパラメータ更新部４に報告される。【００４２】
図８は、ＡＣＬＲ測定によるパラメータ決定手順例を示す。ＡＣＬＲ測定部７は、分岐信号ｙ（ｔ）のＡＣＬＲが一番良いサイン関数及び減衰関数（指数関数）の各パラメータを初期位相θ、周期Ｔ、振幅Ａ、減衰量ρの順番に決定する（Ｓ８１〜Ｓ８４）。しかし、各パラメータを決める順番はこれに限定されない。【００４３】
図９は、ＡＣＬＲ測定部７におけるＡＣＬＲ測定によるパラメータ決定と、図６を参照して説明したパラメータ更新部４におけるサイン関数の周期Ｔ及び初期位相θの決定方法とを組み合わせたパラメータ決定手順を示している。つまり、パラメータ更新部４は、バーストＯＮ区間にてバースト歪がゼロになるタイミング（時間・間隔）を捕らえて、サイン関数の初期位相θ及び周期Ｔを決定する（Ｓ９１，Ｓ９２）。その後、ＡＣＬＲ測定部７は、ＡＣＬＲ測定によりサイン関数の振幅Ａ及び減衰量ρを決定する（Ｓ９３，Ｓ９４）。【００４４】
再び、図７を参照すると、この第２の実施の形態のバースト歪補正制御装置は、非線形歪補償部ＮＤを含んでいる。この非線形歪補償部ＮＤはディジタルプリディストーション（ＤＰＤ）により送信増幅器１の非線形歪を補償する。ＤＰＤの詳細については、上記特許文献４を参照することにより容易に理解できるので、ここでは説明を省略する。【００４５】
［第３の実施の形態］
図１０は本発明の第３の実施の形態におけるバースト歪補正制御装置の構成を示す。この第３の実施の形態は図２に示す第１の実施の形態における基本構成の他の変形例として示している。【００４６】
図１０を参照すると、このバースト歪補正制御装置は、バースト補正係数生成部２、乗算器３、パラメータ更新部４、及び誤差測定部８を備えている。【００４７】
このバースト歪補正制御装置においては、誤差測定によりパラメータを決定する。そのために、参照信号としての入力信号ｘ（ｔ）と、送信増幅器１からの出力信号ｙ（ｔ）の一部がフィードバックされた分岐信号（ＦＢ信号）ｙ（ｔ）との誤差を求め、誤差が一番小さい各パラメータＡ，Ｔ，θ，ρを関数近似のために決める（選択する）。【００４８】
図１１は、誤差測定によるパラメータ決定手順例を示す。誤差測定部８は、入力信号ｘ（ｔ）と分岐信号ｙ（ｔ）との誤差が最小となるサイン関数及び減衰関数（指数関数）の各パラメータを初期位相θ、周期Ｔ、振幅Ａ、減衰量ρの順番に決定する（Ｓ１１１〜Ｓ１１４）。しかし、各パラメータを決める順番はこれに限定されない。【００４９】
誤差測定部８は、逐次的な処理を行い、最適なパラメータを決定していく方法を採ることが可能である。ここでは、サイン関数の初期位相θの決定方法を例示する。【００５０】
まず、誤差測定部８は、現在設定される初期位相θｎにより、誤差測定を行う。次に、誤差測定部８は、初期位相を微小なαだけずらした初期位相θｎ＋αと初期位相θｎ−αにそれぞれ設定し、両者の誤差測定を再度行う。図１２に示すように、初期位相θｎのときに、誤差が最小になっているならば、θｎが最適な初期位相と判定し終了する。【００５１】
もし、初期位相θｎが最適でない場合、３つの初期位相で求めた誤差は単調減少または単調増加を示す。図１３は初期位相θが大きくなるにつれて誤差が小さくなる例である。このときは、θｎ＝θｎ＋αに置き換えて、再度３点の誤差測定を行い、最適な初期位相を探っていく。【００５２】
図１４は初期位相θが大きくなるにつれて誤差が大きくなる例である。このときは、θｎ＝θｎ−αに置き換えて、再度３点の誤差測定を行い、最適な初期位相を探っていく。【００５３】
［第４の実施の形態］
図１５は本発明の第４の実施の形態におけるバースト歪補正制御装置の構成を示す。この第４の実施の形態は図２に示す第１の実施の形態における基本構成の更なる変形例として示している。【００５４】
この第４の実施の形態におけるバースト歪補正制御装置は、上述した第１の実施の形態における基本構成により生成されるバースト歪補正係数を送信対象の入力信号ｘ（ｔ）の平均的な大きさ（振幅）に応じて調整する構成を採る。そのために、このバースト歪補正制御装置は、入力信号ｘ（ｔ）の平均的な大きさを求める送信レベル測定部９を更に備える。【００５５】
具体的には、送信レベル測定部８は、入力信号ｘ（ｔ）の平均電力を求める。バースト歪補正係数は、バーストＯＮのタイミングを知らせる信号（バースト情報）を契機に、バースト補正係数生成部２から出力される。出力されたバースト歪補正係数は、送信レベル測定部９により求められた平均電力の値と乗算器１０において乗算される。この乗算結果は、バースト歪の逆特性として、入力信号ｘ（ｔ）に乗算器３により乗算される。【００５６】
これにより、上述した第１の実施の形態におけるバースト歪補正制御装置のように、瞬間の変化（サンプリング点毎）に高速に追従して、バースト歪補正係数の大きさが変わることを回避するように調整（制御）する。【００５７】
なお、第４の実施の形態におけるバースト歪補正制御装置の他の構成及び動作は、上述した第１の実施の形態におけるバースト歪補正制御装置と同様である。【００５８】
図１６は、送信対象の入力信号ｘ（ｔ）の大きさに応じて、バースト歪の大きさが変わる様子を示す。図１６から明らかなように、入力信号ｘ（ｔ）が大きければ、バースト送信時のバースト歪も大きくなる。【００５９】
［第５の実施の形態］
図１７及び図１８は本発明の第５の実施の形態におけるバースト歪補正制御装置の各構成を示す。この第５の実施の形態は図２に示す第１の実施の形態における基本構成の更に別の変形例として示している。【００６０】
この第５の実施の形態における各バースト歪補正制御装置は、バースト歪補正係数をローパスフィルタ（ＬＰＦ）２０を用いたバースト補正係数生成部２によって生成し、適応的にバースト歪補正係数を生成するための関数のパラメータをパラメータ更新部４（ＬＰＦ，矩形波のパラメータ更新部４０）により更新する構成を採る。【００６１】
バースト歪の波形はＬＰＦ２０の矩形波に対するレスポンスで近似できることを利用するために、バースト補正係数生成部２は矩形波発生部２１を含む。パラメータ更新部４０は、ＬＰＦ２０の形状、次数、カットオフ周波数をパラメータにして、バースト歪補正係数を調整する。また、パラメータ更新部４０は、バースト歪が時間経過につれて徐々に小さくなることから、これを再現するのに矩形波発生部２１から発生される矩形波を徐々に小さくすることで対応する。【００６２】
ディジタルフィルタでバースト歪を補正する場合、大別してＦＩＲ（Finite-duration Impulse Response）とＩＩＲ（Infinite-duration Impulse Response）とによるフィルタ設計法が考えられるが、ここでは動作安定性の高いＦＩＲフィルタを用いた設計方法を採用し説明する。【００６３】
ＬＰＦ２０としてＦＩＲフィルタを用いてバースト歪補正を制御する場合、パラメータは計５種類が考えられる。ＦＩＲフィルタそのものに関するものとしては、タップ長ｌ、カットオフ周波数ωｃ、窓関数（カイザー窓）パラメータβの３種類がある。このフィルタに入力する矩形波生成のパラメータとしては、矩形波の振幅Ａｒｃｔ、減衰量ρｒｃｔの２種類がある。これらのパラメータの調整方法には、前述のＡＣＬＲ測定による方法または誤差測定による方法を採ることが可能である。【００６４】
まず、有限長のタップ長でＬＰＦ（ＦＩＲフィルタ）２０を設計する場合、タップ係数ｔａｐｋは数２の式で求める。【００６５】
【数２】
2008120318.tif 000004
【００６６】
ここで、ｌはタップ長、Ｔはサンプリング周波数、ωｃはカットオフ周波数である。【００６７】
さらに、有限タップ長のＬＰＦでは、タップ係数ｔａｐｋに窓関数を乗ずることで、通過域リップル、転移帯域、阻止帯域の減衰量を調整することもできる。窓関数は、ハミング窓、ハン窓、ブラックマン窓、カイザー窓など各種あり、窓関数の種類を変更することでバースト歪補正係数を調整することもできる。しかし、可変調整パラメータβを持つカイザー窓を採用した場合、このパラメータβの調整で任意の窓関数を生成することができるため、バースト歪補正係数の調整が容易である。【００６８】
一方、ＬＰＦ２０としてアナログフィルタを用いる場合、パラメータ更新部４０は、フィルタ形状、次数、ＬＣ回路の定数Ｌ，Ｃを変更することで、バースト歪補正係数を調整することができる。【００６９】
まず、アナログフィルタの形状には、バターワーズ型、チェビシェフ型、ガウシャン型、ベッセル型などが考えられ、バースト歪の特徴に応じて使い分けるようにする。バースト歪の位相歪を補正する場合は、帯域内の群遅延特性が平坦になるベッセル型を除くフィルタを採用する方がよい。【００７０】
次数についても、同様にバースト歪の特徴に応じて、使い分けるようにする。例えば、バースト歪が激しい場合は、小さい次数のフィルタを採用し、バースト歪が激しい場合は、大きな次数のフィルタを採用して調整する。【００７１】
適応的な制御によりバースト歪補正係数を調整するには、ＬＣ回路の定数Ｌ，Ｃを変更することが考えられる。このためには、用いるコイルＬ及びコンデンサＣの定数を可変できる素子を採用することで対応できる。パラメータ更新部４０からＬ，Ｃ定数の変更がされた場合、ＬＰＦ２０のカットオフ周波数と阻止域減衰量が調整され、結果として、バースト歪補正係数が調整される。パラメータの調整方法には、前述のＡＣＬＲ測定による方法または誤差測定による方法を採ることが可能である。【００７２】
図１９は、図１７及び図１８に示す構成を採るバースト歪補正制御装置において、ＬＰＦ２０を用いたバースト歪補正係数の生成手順を示す。まず、矩形波発生部２１は入力信号有無の切り替わりを知らせるバースト情報に基づいてバーストＯＮを検知し、バースト歪が発生する長さ（時間）の矩形波を発生する。矩形波発生部２１から矩形波を入力されたＬＰＦ２０は、この矩形波に対するレスポンスを生成し出力する。逆数変換部２２はこのレスポンスに対する逆数をとり、乗算器３において送信対象の入力信号ｘ（ｔ）に乗算する。【００７３】
［実施の形態の効果］
上述した各実施の形態におけるバースト歪補正制御装置によれば、非線形歪が生じる送信増幅器１において、信号がバースト送信された場合
に生じるバースト歪の影響で劣化するＡＣＬＲ（Adjacent Channel Leakage Power Ratio）を改善することができる。【００７４】
［変形例］
上述した各実施の形態におけるバースト歪補正は、電源投入時など、入力信号有無の切り替わりがあるあらゆる状況において適用することが可能である。また、調整用の矩形波信号を入力信号として使用し、高精度かつ速やかにバースト歪補正係数を生成してもよい。【００７５】
上述した各実施の形態における処理はコンピュータで実行可能なプログラムとして提供され、ＣＤ−ＲＯＭやフレキシブルディスクなどの記録媒体、さらには通信回線を経て提供可能である。【００７６】
また、上述した各実施の形態における各処理はその任意の複数または全てを選択し組合せて実施することもできる。
【図１】
2008120318.tif 000005
【図２】
2008120318.tif 000006
【図３】
2008120318.tif 000007
【図４Ａ】
2008120318.tif 000008
【図４Ｂ】
2008120318.tif 000009
【図５】
2008120318.tif 000010
【図６】
2008120318.tif 000011
【図７】
2008120318.tif 000012
【図８】
2008120318.tif 000013
【図９】
2008120318.tif 000014
【図１０】
2008120318.tif 000015
【図１１】
2008120318.tif 000016
【図１２】
2008120318.tif 000017
【図１３】
2008120318.tif 000018
【図１４】
2008120318.tif 000019
【図１５】
2008120318.tif 000020
【図１６】
2008120318.tif 000021
【図１７】
2008120318.tif 000022
【図１８】
2008120318.tif 000023
【図１９】
2008120318.tif 000024
【国際調査報告】
2008120318.tif 000025
2008120318.tif 000026
2008120318.tif 000027
2008120318.tif 000028